(57)【要約】【課題】回り止め（位置決め）機能を十分に発揮することが可能な樹脂部品と、この樹脂部品を組み付けてなる樹脂部品付きバッテリーターミナルとを提供する。【解決手段】樹脂部品付きバッテリーターミナル１は、バッテリーターミナル２と、このバッテリーターミナル２に組み付く樹脂部品（バッテリーターミナル用樹脂部品）３とを備えて構成されている。樹脂部品３は、バッテリー４とバッテリーターミナル２との間に介在する部材であって、バッテリー液に対しての防食機能を持たせるために、合成樹脂材料を用いて成形されている。また、樹脂部品３は、バッテリー４に対するバッテリーターミナル２の回り止め（位置決め）機能を持たせるために、ターミナルストッパー２５を有するように形成されている。樹脂部品３は、複数のリブ１９も有している。【選択図】図１
2010160990.tif 000002
【特許請求の範囲】
【請求項１】
バッテリーのバッテリーポストに接続されるバッテリーターミナルに対して組み付く構造を有する合成樹脂製の部品であって、
前記バッテリーターミナルの下部と前記バッテリーの上部との間に介在するターミナル下部カバーと、
該ターミナル下部カバーの左右両側部の一方に連成される側壁と、
前記左右両側部の他方の側に連成されて前記バッテリーの側部に当接可能となる位置決め用のターミナルストッパーと、
該ターミナルストッパー及び前記側壁間を繋ぐように前記ターミナル下部カバーに連成される一又は複数のリブと、
を更に有する
ことを特徴とするバッテリーターミナル用樹脂部品。
【請求項２】
請求項１に記載のバッテリーターミナル用樹脂部品において、
前記ターミナル下部カバーは前記バッテリーポストに対する挿入穴を有し、前記ターミナルストッパーは前記挿入穴の位置に合わせて配置され、前記リブは分断する部分無しに前記挿入穴を囲む円リブを有する
ことを特徴とするバッテリーターミナル用樹脂部品。
【請求項３】
請求項１又は請求項２に記載のバッテリーターミナル用樹脂部品を、バッテリーのバッテリーポストに接続されるバッテリーターミナルに対し組み付けることによりなる
ことを特徴とする樹脂部品付きバッテリーターミナル。
【発明の詳細な説明】
【技術分野】
【０００１】
本発明は、バッテリーターミナルに組み付けられる樹脂部品と、この樹脂部品を組み付けてなる樹脂部品付きバッテリーターミナルとに関する。
【背景技術】
【０００２】
バッテリーターミナルや、このバッテリーターミナルに組み付けられる樹脂部品としての防食カバーは、例えば下記特許文献１に開示されている。
【０００３】
図５において、バッテリーターミナル１４１は、上下方向に配置される一対の環状部１４５ａ、１４５ｂを有している。この環状部１４５ａ、１４５ｂには、バッテリーポスト１０３を挿入するためのバッテリーポスト挿入穴１４７が各々形成されている。環状部１４５ａ、１４５ｂは、バッテリーポスト挿入穴１４７の円周方向の一箇所が分断されて形成された締め付け間隙１４９を有しており、この締め付け間隙１４９によって開放されている。
【０００４】
環状部１４５ａ、１４５ｂは、締め付け間隙１４９側で一対の締め付け部１５５、１５５により上下が連結されている。締め付け間隙１４９の反対側においては、接合板１５１ａ、１５１ｂ同士が重ね合わせられて電線接続部が形成されている。接合板１５１ａには、端子固定ボルト１５３が立設されている。
【０００５】
上下の環状部１４５ａ、１４５ｂを連結する一対の締め付け部１５５、１５５には、左右方向に貫通する貫通穴１５７が各々形成されている。貫通穴１５７には、締め付け間隙１４９を横断する締め付けボルト１５９が挿入されている。
【０００６】
尚、貫通穴１５７を貫通した締め付けボルト１５９は、先端に螺合するナット１６１と共働して、締め付け間隙１４９の両側の一対の締め付け部１５５、１５５を互いに近接する方向に締め付けることができるようになっている。そして、締め付けを生じさせると、環状部１４５ａ、１４５ｂのバッテリーポスト挿入穴１４７は縮径するようになっている。
【０００７】
防食カバー１６３は、バッテリーターミナル１４１及びバッテリー間に介在するように配設されている。防食カバー１６３は、ターミナル下部カバー（底板部）１６５を有しており、このターミナル下部カバー１６５の周囲には、環状部１４５ａ、１４５ｂ、及び電線接続部の側面を包囲する側壁１６７が形成されている。ターミナル下部カバー１６５の中央には、バッテリーポスト１０３を挿入するための挿入穴１６９が穿設されている。
【０００８】
ターミナル下部カバー１６５の一端には、締め付け間隙１４９に挿入される挟入部１７１が立設されている。挟入部１７１には、締め付けボルト１５９が挿通される貫通孔１７３が穿設されている。挟入部１７１は、この両面が先端に向けて先細りするテーパ形状に形成されている。
【０００９】
上記構成において、防食カバー１６３の挟入部１７１が環状部１４５ａ、１４５ｂの締め付け間隙１４９に挿入される。防食カバー１６３とバッテリーターミナル１４１は一体に組み合わされ、挿入穴１６９及びバッテリーポスト挿入穴１４７にはバッテリーポスト１０３が挿入される。
【００１０】
一対の締め付け部１５５、１５５及び挟入部１７１に締め付けボルト１５９が挿通され、ナット１６１が螺合して締め付けが行われると、一対の締め付け部１５５、１５５が互いに近接し、環状部１４５ａ、１４５ｂがバッテリーポスト１０３の外周面に密接する。
【００１１】
尚、防食カバー１６３は、合成樹脂製であって、バッテリーターミナル１４１の腐食を防止するために備えられている。このような防食カバー１６３をバッテリーターミナル１４１に組み付けると、バッテリーターミナル１４１は防食カバー付きバッテリーターミナルになる。
【００１２】
ところで、バッテリーターミナルに関し、下記特許文献２にはバッテリーターミナルの回り止めに関する技術が開示されている。ここでは特に図示しないが、開示技術のバッテリーターミナルには、回り止め片が形成されており、また、このバッテリーターミナルが接続されるバッテリーには、バッテリーポスト周辺に凹部が形成されている。凹部は、バッテリーターミナルのバッテリーポストへの接続の際に、上記回り止め片が差し込まれる部分として形成されている。バッテリーターミナルは、上記接続の際に回り止め片が凹部に係合することから、不必要な回りが規制されて位置が安定するようになっている。
【００１３】
尚、下記特許文献２には特許文献１にあるような防食カバーは存在しない。但し、外側からバッテリーターミナルに被せるような保護キャップは存在する。特許文献１の開示技術は本願出願人の提案である。
【先行技術文献】
【特許文献】
【００１４】
【特許文献１】特開平１０−１２２１４号公報  （第３−４頁、第１−４図）
【特許文献２】特開２００１−２６６９６７号公報  （第３頁、第１図）
【発明の概要】
【発明が解決しようとする課題】
【００１５】
バッテリー及びバッテリーターミナルは、汎用性のある構造が好ましいと考えられる。しかしながら、特許文献２に係る従来技術にあっては、バッテリーターミナルの回り止めをするために（位置決めをするために）、バッテリー及びバッテリーターミナルの両方に上記のような専用の構造を持たせる必要があるという問題点を有している。そこで、本願発明者は、バッテリーターミナルに組み付く樹脂部品（例えば防食カバー）に、バッテリーに対するバッテリーターミナルの回り止めをするための（位置決めをするための）構造を持たせて汎用性を高めることを考えてみた。
【００１６】
検討を重ねると、次のような問題点があることを本願発明者は見いだした。すなわち、一般的に樹脂部品は強度面で金属等に劣り、大きな加重が掛かると変形したりすることから（例えば図５の矢印Ｈ部分が変形し易い）、回り止め（位置決め）機能を発揮することができない虞があるという問題点を見いだした。
【００１７】
本発明は、上記した事情に鑑みてなされたもので、回り止め（位置決め）機能を十分に発揮することが可能な樹脂部品と、この樹脂部品を組み付けてなる樹脂部品付きバッテリーターミナルとを提供することを課題とする。
【課題を解決するための手段】
【００１８】
上記課題を解決するためになされた請求項１記載の本発明のバッテリーターミナル用樹脂部品は、バッテリーのバッテリーポストに接続されるバッテリーターミナルに対して組み付く構造を有する合成樹脂製の部品であって、前記バッテリーターミナルの下部と前記バッテリーの上部との間に介在するターミナル下部カバーと、該ターミナル下部カバーの左右両側部の一方に連成される側壁と、前記左右両側部の他方の側に連成されて前記バッテリーの側部に当接可能となる位置決め用のターミナルストッパーと、該ターミナルストッパー及び前記側壁間を繋ぐように前記ターミナル下部カバーに連成される一又は複数のリブと、を更に有することを特徴としている。
【００１９】
このような特徴を有する本発明によれば、例えばバッテリーターミナルをバッテリーポストに接続する際に、バッテリーターミナルの回転方向の移動はターミナルストッパーがバッテリーの側部に当接することによって規制される。この当接時の力が比較的大きな力であっても、本発明の樹脂部品はリブにより変形が防止される。すなわち、比較的大きな力であっても、回り止め（位置決め）機能は維持される。
【００２０】
請求項２記載の本発明のバッテリーターミナル用樹脂部品は、請求項１に記載のバッテリーターミナル用樹脂部品において、前記ターミナル下部カバーは前記バッテリーポストに対する挿入穴を有し、前記ターミナルストッパーは前記挿入穴の位置に合わせて配置され、前記リブは分断する部分無しに前記挿入穴を囲む円リブを有することを特徴としている。
【００２１】
このような特徴を有する本発明によれば、挿入穴の位置での変形が防止される。分断する部分の無い円リブにすることにより、この部分は広がらず、結果、強度アップに寄与する。円リブは、分断する部分無しに挿入穴を囲むことから、仮にバッテリー液が漏れたとしても、この浸入の防止に有効である。
【００２２】
上記課題を解決するためになされた請求項３記載の本発明のバッテリーターミナル用樹脂部品は、請求項１又は請求項２に記載のバッテリーターミナル用樹脂部品を、バッテリーのバッテリーポストに接続されるバッテリーターミナルに対して組み付けることによりなることを特徴としている。
【００２３】
このような特徴を有する本発明によれば、回り止め（位置決め）機能を十分に発揮することが可能な樹脂部品を、バッテリーターミナルに対し組み付けたものとなる。
【発明の効果】
【００２４】
請求項１に記載された本発明によれば、回り止め（位置決め）機能を十分に発揮することが可能な樹脂部品を提供することができるという効果を奏する。本発明は、変形し難い樹脂部品であることから、バッテリーターミナルへの組み付け位置を安定させることができるという効果も奏する。
【００２５】
請求項２に記載された本発明によれば、挿入穴の位置での変形を防止することができるという効果を奏する。本発明は、より一層変形し難い形状にして強度アップを図ることができるという効果を奏する。この他、本発明によれば、挿入穴を囲むことから、防食性を向上させることができるという効果も奏する。
【００２６】
請求項３に記載された本発明によれば、回り止め（位置決め）機能を十分に発揮することが可能な樹脂部品を組み付けてなる樹脂部品付きバッテリーターミナルを提供することができるという効果を奏する。
【図面の簡単な説明】
【００２７】
【図１】本発明のバッテリーターミナル用樹脂部品、及び、樹脂部品付きバッテリーターミナルの一実施の形態を示す図であり、（ａ）は上方から見た場合の斜視図、（ｂ）は下方から見た場合の斜視図である。
【図２】バッテリーターミナル用樹脂部品、及び、樹脂部品付きバッテリーターミナルの図であり、（ａ）は平面図、（ｂ）は正面図である。
【図３】バッテリーターミナル用樹脂部品、及び、樹脂部品付きバッテリーターミナルの図であり、（ａ）は底面図、（ｂ）は要部拡大図である。
【図４】図３（ｂ）に対する比較例を示す図である。
【図５】従来例のバッテリーターミナルの分解斜視図である。
【発明を実施するための形態】
【００２８】
以下、図面を参照しながら説明する。図１〜図３は本発明のバッテリーターミナル用樹脂部品、及び、樹脂部品付きバッテリーターミナルの一実施の形態を示す図であり、図１（ａ）は上方から見た場合の斜視図、図１（ｂ）は下方から見た場合の斜視図、図２（ａ）は平面図、図２（ｂ）は正面図、図３（ａ）は底面図、図３（ｂ）は要部拡大図である。
【００２９】
図１ないし図３において、引用符号１は本発明の樹脂部品付きバッテリーターミナルを示している。樹脂部品付きバッテリーターミナル１は、バッテリーターミナル２と、このバッテリーターミナル２に組み付く樹脂部品（バッテリーターミナル用樹脂部品）３とを備えて構成されている。樹脂部品付きバッテリーターミナル１は、バッテリーターミナル２がバッテリー４のバッテリーポスト５に接続されるようになっている。バッテリー４及びバッテリーポスト５は公知もの（汎用性のある一般的なもの）であって、バッテリーポスト５は先端の直径が基端の直径よりも小さいテーパ状の周側面を有するように形成されている。樹脂部品３は、バッテリーターミナル２に防食機能と、回り止め（位置決め）機能とを持たせるために備えられている。以下、バッテリーターミナル２及び樹脂部品３の構造について説明をする。
【００３０】
上記バッテリーターミナル２は、導電性を有する金属板をプレス加工することにより製造されている。本形態においては、Ｓｎメッキが施されている。バッテリーターミナル２は、公知のもの（汎用性のある一般的なもの）が用いられている。
【００３１】
バッテリーターミナル２は、一対の環状部６、７と、一対の締め付け部８、８と、一対の接合板からなる電線接続部９とを有している。また、バッテリーターミナル２は、電線接続部９に保持される端子固定ボルト１０と、端子固定ボルト１０に螺合するナット（不図示）とを有している。さらに、バッテリーターミナル２は、後述する締め付けボルト１６と、この締め付けボルト１６に螺合するナット１７とを有している。電線接続部９には、外部接続端子（不図示）が接続されるようになっている。
【００３２】
本明細書において、上記バッテリーポスト５の軸方向を上下方向とし、バッテリーポスト５の先端を上、基端を下と定義する。従って、環状部６が上、環状部７が下に配置されている。
【００３３】
環状部６の略中央には、バッテリーポスト５を挿入するためのバッテリーポスト挿入穴１１が上下方向に貫通形成されている。バッテリーポスト挿入穴１１は、バッテリーポスト５の周側面に対して接触するように形成されている。バッテリーポスト挿入穴１１は、バッテリーポスト５の先端側の直径に合わせて環状に形成されている。バッテリーポスト挿入穴１１は、締め付け部８、８の間となる部分が分断された状態に形成されている。
【００３４】
環状部７の略中央には、バッテリーポスト５を挿入するためのバッテリーポスト挿入穴１２が上下方向に貫通形成されている。バッテリーポスト挿入穴１２は、バッテリーポスト５の周側面に対して接触するように形成されている。バッテリーポスト挿入穴１２は、バッテリーポスト５の基端側の直径に合わせて環状に形成されている。バッテリーポスト挿入穴１２は、締め付け部８、８の間となる部分が分断された状態に形成されている。
【００３５】
引用符号１３はバッテリーポスト挿入穴１１、１２の一部分断された部分を示している。
【００３６】
締め付け部８、８は、環状部６、７を間隔をあけて上下に重なるようにこれらを連結する部分であって、前後方向にＵ字状に湾曲する形状に形成されている。締め付け部８、８は、一部分断された部分１３の左右両側に配置形成されている。締め付け部８、８は、一部分断された部分１３に連通する締め付け間隙１４を有して左右方向に並設されている。このような締め付け部８、８の内側には、ボルト挿通孔１５が形成されている。
【００３７】
ボルト挿通孔１５には、締め付け間隙１４を横断し貫通する締め付けボルト１６が挿入されている。締め付けボルト１６は、この先端に螺合するナット１７と共働して、締め付け間隙１４の両側の締め付け部８、８を互いに近接する方向に締め付けすることができるようになっている（締め付けが生じると、バッテリーポスト挿入穴１１、１２が縮径する）。
【００３８】
上記樹脂部品３は、バッテリー４とバッテリーターミナル２との間に介在する部材であって、バッテリー液に対しての耐食性を持たせるために（防食機能を持たせるために）、合成樹脂材料を用いて成形されている。樹脂部品３は、本形態において、ＰＰ（ポリプロピレン）のような安価な材料が用いられている（この限りではないものとする）。また、樹脂部品３は、バッテリー４に対するバッテリーターミナル２の回り止め（位置決め）機能を持たせるために、後述するターミナルストッパー２５を有するように形成されている。尚、上記の各機能を持たせることから、樹脂部品３は防食カバーや端子ストッパーと呼ぶこともできるものとする。
【００３９】
樹脂部品３は、ターミナル下部カバー１８と、複数のリブ１９、２０と、側壁２１と、ヒンジ２２と、ターミナル上部カバー２３と、ロック部２４と、ターミナルストッパー２５とを有している。樹脂部品３は、上記の部分が一体になっている。樹脂部品３は、ターミナル下部カバー１８とターミナル上部カバー２３とでバッテリーターミナル２を挟み込み、この挟み込み状態をロック部２４によって維持することにより、バッテリーターミナル２に対して組み付くようになっている。
【００４０】
ターミナル下部カバー１８は、バッテリーターミナル２の下部とバッテリー４の上部２６との間に介在する板状の部分として形成されている。ターミナル下部カバー１８には、バッテリーポスト５に対する挿入穴（符号省略。挿入穴には後述する円リブ１９ｃが形成されている）が貫通形成されている。
【００４１】
このようなターミナル下部カバー１８の下面前部には、複数のリブ１９が連成されている（下方に突出するように形成されている）。また、上面後部にも複数のリブ２０が連成されている（上方に突出するように形成されている）。複数のリブ１９は、左右方向にのびるリブ１９ａと、前後方向にのびてリブ１９ａに交差するリブ１９ｂと、上記挿入穴を囲むように連成される円リブ１９ｃとを有する構成になっている。
【００４２】
リブ１９ａは、ターミナルストッパー２５及び側壁２１間を繋ぐように配置形成されている。円リブ１９ｃは、分断する部分無しに上記挿入穴を囲むように形成されている。リブ１９ａ及びリブ１９ｂは、円リブ１９ｃに連続するように配置形成されている。ターミナル下部カバー１８の下面前部は、複数のリブ１９によって剛性が高い状態になっている。
【００４３】
上面後部の複数のリブ２０は、ターミナル下部カバー１８の下面後部に開口が生じるような状態に形成されている。複数のリブ２０は、バッテリーターミナル２の電線接続部９を支持するような部分として形成されている。複数のリブ２０は、左右方向にのびるリブ２０ａと、前後方向にのびてリブ２０ａに交差するリブ２０ｂとを有する構成になっている。
【００４４】
側壁２１は、ターミナル下部カバー１８の左右両側部の一方に連成される壁であって、バッテリーターミナル２における環状部６、７の一方の側部に対向するように配置形成されている（側壁２１は、電線接続部９の側部までのばすように形成しても良いものとする）。側壁２１は、少なくともバッテリーターミナル２が回転移動しようとする側に配置されるようになっている。
【００４５】
ヒンジ２２は、この一端が側壁２１に連成されるとともに、他端がターミナル上部カバー２３の一方の側部に連成されている。ヒンジ２２は、薄肉の部分であって、本形態においては二つ形成されている。
【００４６】
ターミナル上部カバー２３は、バッテリーターミナル２の上部に重なる板状（略短冊形状であり略ブリッジ形状に図示されている）の部分として形成されている。ターミナル上部カバー２３の中央部分には、バッテリーターミナル２のバッテリーポスト挿入穴１１に対する逃がしとなる挿入穴逃がし部分２３ａが形成されている。ターミナル上部カバー２３の他方の側部及びターミナルストッパー２５には、これらが嵌合し合う部分としてのロック部２４が形成されている。ロック部２４は、係止突起と、この係止突起に引っ掛かる係止枠部とで構成されている（一例であるものとする。尚、側壁２１の反対側に同様の側壁を形成し、この形成部分にロック部２４の一方を形成しても良いものとする）。
【００４７】
ターミナルストッパー２５は、ターミナル下部カバー１８の左右両側部の他方に連成されている（側壁２１の反対側に連成されている）。また、ターミナルストッパー２５は、ターミナル下部カバー１８の上記挿入穴の位置に合わせて配置形成されている。ターミナルストッパー２５は、バッテリー４の側部２７に当接可能となる位置決め用の部分、及び回り止め用の部分として形成されている。ターミナルストッパー２５は、本形態において、バッテリー４の上部２６と側部２７とに跨るようにＬ字状の形状に形成されている。ターミナルストッパー２５には、上記リブ１９ａ（１９）が連成されている。尚、ターミナルストッパー２５は、この剛性を高めるための複数のリブ２５ａ、２５ｂ等を有している。
【００４８】
上記構成及び構造において、バッテリーポスト５に接続した状態で図２（ｂ）に示す如く、ターミナルストッパー２５に対し矢印Ａ方向に比較的大きな力を掛けると、樹脂部品３は図３に示す如くリブ１９を有することから、すなわち合成樹脂製品であっても変形し難い構造を有することから、回り止め（位置決め）機能を十分に発揮することができる。
【００４９】
尚、図４は図３（ｂ）に対する比較例を示す図である。図４の比較例においては、図３（ｂ）に示すような円リブ１９ｃの形成がないことから（半円リブ２８になっている）、上記のような矢印Ａ方向に比較的大きな力を掛けた場合、極僅かな広がりが生じてしまう虞がある。つまり、図３（ｂ）に示すような円リブ１９ｃは強度アップに有効であることが分かる（繋がりによって強度を高めることができる）。この他、円リブ１９ｃの形成がない場合、仮にバッテリー液が漏れた時には、この浸入を防止することができないことが分かる。
【００５０】
以上、図１ないし図４を参照しながら説明してきたように、本発明によれば、回り止め（位置決め）機能を十分に発揮することが可能な樹脂部品３を提供することができるという効果を奏する。本発明は、変形し難い樹脂部品３であることから、バッテリーターミナル２への組み付け位置を安定させることができるという効果も奏する。
【００５１】
また、本発明によれば、回り止め（位置決め）機能を十分に発揮することが可能な樹脂部品３を組み付けてなる樹脂部品付きバッテリーターミナル１を提供することができるという効果を奏する。
【００５２】
本発明は本発明の主旨を変えない範囲で種々変更実施可能なことは勿論である。
【００５３】
尚、上述の説明は、横方向から締め付けボルト１６及びナット１７を締め付けることにより締め付け部８、８を近接させるタイプのバッテリーターミナル２を例に挙げたが、これに限らず、上下方向で締め付けボルト及びナットを締め付け、この締め付け力を横方向に変換して、締め付け部を近接させるタイプのバッテリーターミナルにも適用することが可能であるものとする。
【符号の説明】
【００５４】
１  樹脂部品付きバッテリーターミナル
２  バッテリーターミナル
３  樹脂部品（バッテリーターミナル用樹脂部品）
４  バッテリー
５  バッテリーポスト
１１、１２  バッテリーポスト挿入穴
１８  ターミナル下部カバー
１９、１９ａ、１９ｂ  リブ
１９ｃ  円リブ
２０  リブ
２１  側壁
２２  ヒンジ
２３  ターミナル上部カバー
２４  ロック部
２５  ターミナルストッパー
２６  上部
２７  側部
【図１】
2010160990.tif 000003
【図２】
2010160990.tif 000004
【図３】
2010160990.tif 000005
【図４】
2010160990.tif 000006
【図５】
2010160990.tif 000007